(57)【要約】【課題】加熱回転体５ａと、加熱回転体とニップ部Ｎを形成する加圧回転体５ｅと、を有し、ニップ部で被記録材Ｓを挟持搬送して被記録材上の画像を加熱する像加熱装置において、被記録材がニップ部と排紙部間で滞留したとき、被記録材が加熱回転体５ａへ巻付いていくことを防ぎ、ジャム処理が容易にできるようにする。【解決手段】加熱回転体と加圧回転体との加圧力を解除する圧解除手段と、ニップ部よりも被記録材搬送方向下流側に配設され、定常時は加熱回転体から所定に離間した第１姿勢にあり、被記録材がニップ部よりも被記録材搬送方向下流側においてジャムを生じた時は被記録材ジャム部により押されて前記加熱回転体に所定に近接もしくは当接した第２姿勢になるフラッパ１２と、第２姿勢になったフラッパを固定する掛止部材１６と、圧解除手段の圧解除動作に連動して掛止部材によるフラッパの固定を解除する掛止解除手段１８と、を有する。【選択図】図１
2006308770.tif 000002
【特許請求の範囲】
【請求項１】
加熱回転体と、前記加熱回転体とニップ部を形成する加圧回転体と、を有し、前記ニップ部で被記録材を挟持搬送して被記録材上の画像を加熱する像加熱装置において、
前記加熱回転体と前記加圧回転体との加圧力を解除する圧解除手段と、
前記ニップ部よりも被記録材搬送方向下流側に配設され、定常時は前記加熱回転体から所定に離間した第１姿勢にあり、前記被記録材が前記ニップ部よりも被記録材搬送方向下流側においてジャムを生じた時は被記録材ジャム部により押されて前記加熱回転体に所定に近接もしくは当接した第２姿勢になるフラッパと、
前記第２姿勢になった前記フラッパを固定する掛止部材と、
前記圧解除手段の圧解除動作に連動して前記掛止部材による前記フラッパの固定を解除する掛止解除手段と、
を有することを特徴とする像加熱装置。
【請求項２】
前記ニップ部よりも被記録材搬送方向下流側に、前記ニップ部から送り出される被記録材をガイドする排紙ガイドと、更にその被記録材を挟持搬送する駆動排紙ローラおよびそれに対向する従動排紙ローラと、を有することを特徴とする請求項１に記載の像加熱装置。
【請求項３】
前記ニップ部よりも被記録材搬送方向下流側において前記被記録材にジャムが生じたことを検知するジャム検知手段と、前記ジャム検知手段のジャム検知に基づいて装置駆動を停止すると共に、前記圧解除手段を圧解除動作する制御手段と、を有することを特徴とする請求項１または請求項２に記載の像加熱装置。
【請求項４】
前記圧解除手段は、前記加熱回転体と前記加圧回転体とを加圧する加圧部材に対する圧解除カムを有し、前記圧解除カムが回動されて前記加圧部材が加圧付勢力に抗して変移されて前記加熱回転体と前記加圧回転体との加圧力が解除されることを特徴とする請求項１から請求項３の何れか１つに記載の像加熱装置。
【請求項５】
前記掛止解除手段は、前記掛止部材に対する掛止解除カムを有し、前記掛止解除カムが前記圧解除手段の圧解除動作に連動して回動されて前記掛止部材が変移されることで前記フラッパの固定が解除されることを特徴とする請求項１から請求項４の何れか１つに記載の像加熱装置。
【請求項６】
前記フラッパは回動支点を中心に揺動可能であり、定常時は自重による回動モーメントで前記第１姿勢に安定しており、前記回動モーメントに抗して前記被記録材ジャム部により押されて前記第２姿勢に揺動することを特徴とする請求項１から請求項５の何れか１つに記載の像加熱装置。
【請求項７】
前記掛止部材は、回動支点を中心に揺動可能であり、前記回動支点を中心に自重で前記フラッパに当接する方向に回動モーメントをもたせてあり、前記フラッパが前記第２姿勢に変移したとき連動して変移して前記フラッパに係合し前記第２姿勢に固定することを特徴とする請求項１から請求項６の何れか１つに記載の像加熱装置。
【請求項８】
前記掛止部材は、回動支点を中心に揺動可能であり、前記回動支点を中心にバネで前記フラッパに当接する方向に回動モーメントをもたせてあり、前記フラッパが前記第２姿勢に変移したとき連動して変移して前記フラッパに係合し前記第２姿勢に固定することを特徴とする請求項１から請求項６の何れか１つに記載の像加熱装置。
【請求項９】
前記第２姿勢になった前記フラッパの固定は、前記フラッパに設けた切り欠き部に前記掛止部材が係合してなされることを特徴とする請求項１から請求項８の何れか１つに記載の像加熱装置。
【発明の詳細な説明】
【技術分野】
【０００１】
本発明は、複写機・プリンタ等の画像形成装置において、被記録材に形成担持させた未定着画像を永久画像として加熱定着させる定着装置として用いて好適な像加熱装置に関する。
【０００２】
より詳しくは、加熱回転体と、前記加熱回転体とニップ部を形成する加圧回転体と、を有し、前記ニップ部で被記録材を挟持搬送して被記録材上の画像を加熱する像加熱装置に関する。
【背景技術】
【０００３】
上記のような像加熱装置としては、熱ローラ方式、フィルム加熱方式、電磁誘導加熱方式など各種の方式・構成の装置が知られている。そして、電子写真プロセス・静電記録プロセス等の画像形成装置において、転写方式あるいは直接方式で被記録材（転写紙、印字用紙、感光紙、静電記録紙など）に形成担持させた未定着のトナー画像を加熱定着させる加熱定着装置として用いられている。
【０００４】
上記のような像加熱装置においては、ニップ部下流側で被記録材のジャム（滞留）が発生したとき、被記録材が加熱回転体に巻き込まれた状態になってしまいジャム処理が困難な状況が発生する場合がある。
【０００５】
そこで、本出願人は先に、被記録材が加熱回転体に巻き付くことを防止して、容易にジャム処理できるようにしたものを提案している（特許文献１）。
【０００６】
この装置は、加熱回転体に対して接離可能なフラッパ（分離爪）を有し、定常状態では該フラッパは加熱回転体から離間しており、ニップ部下流側でジャムが発生すると被記録材ジャム部で押されて加熱回転体に当接することで被記録材の加熱回転体に対する巻き付きを阻止するものである。
【０００７】
即ち、ジャム発生時のみフラッパを加熱回転体に当接させる構成とし、フラッパと加熱回転体との接触を必要時（ジャム発生時）のみとしたものである。これにより、加熱回転体の傷や過度の磨耗を生じさせることなく、比較的簡単で、且つ安価な構成で、ジャム発生時に被記録材が加熱回転体に巻き付くことを確実に防止し、且つジャム処理を容易に行なうことが可能となる。
【特許文献１】特開平２００２−９９１７４号公報
【発明の開示】
【発明が解決しようとする課題】
【０００８】
特許文献１の装置については、被記録材の種類や、被記録材ジャム（滞留）の状態によっては、次のような事象が生じ得ることが判明した。すなわち、ジャム発生により被記録材の最初のループでフラッパが押されて一旦加熱回転体に当接される。そして、次のループが発生すると、最初のループがフラッパの根元の回動支点部に相当する横軸部に接近していくことで、フラッパが加熱回転体から離れていく。そこへ次のループが潜り込み加熱回転体に被記録材が巻き付く場合がある。
【０００９】
そこで、本発明は、上記従来技術を更に改善して、上記のような事象による被記録材の加熱回転体巻き付きを巌に防止して、装置の信頼性を向上させることを目的とする。
【課題を解決するための手段】
【００１０】
上記目的を達成するための本発明に係る像加熱装置の代表的な構成は、加熱回転体と、前記加熱回転体とニップ部を形成する加圧回転体と、を有し、前記ニップ部で被記録材を挟持搬送して被記録材上の画像を加熱する像加熱装置において、前記加熱回転体と前記加圧回転体との加圧力を解除する圧解除手段と、前記ニップ部よりも被記録材搬送方向下流側に配設され、定常時は前記加熱回転体から所定に離間した第１姿勢にあり、前記被記録材が前記ニップ部よりも被記録材搬送方向下流側においてジャムを生じた時は被記録材ジャム部により押されて前記加熱回転体に所定に近接もしくは当接した第２姿勢になるフラッパと、前記第２姿勢になった前記フラッパを固定する掛止部材と、前記圧解除手段の圧解除動作に連動して前記掛止部材による前記フラッパの固定を解除する掛止解除手段と、を有することを特徴とする。
【発明の効果】
【００１１】
ジャム発生で一旦第２姿勢になったフラッパは掛止部材によって固定されて第２姿勢状態に保持されるで、アコーディオン状に後から発生する滞留した被記録材がフラッパを加熱回転体から再度離間させる事態は発生しない。したがって、加熱回転体に対するフラッパの再離間で被記録材が加熱回転体に巻き付くことを厳に防ぐことができる。
【００１２】
また、掛止部材で第２姿勢に固定されたフラッパは、ジャム処理のために圧解除手段によって加熱回転体と加圧回転体との加圧力が解除されたとき、その圧解除動作に連動して掛止部材による固定が解除されて、第１姿勢（初期位置）に復帰することが可能である。
【００１３】
したがって、この種の像加熱装置の信頼性をより向上させることができる。
【発明を実施するための最良の形態】
【００１４】
【実施例１】
【００１５】
（１）画像形成装置例
図８は本発明に従う像加熱装置を定着装置として搭載した画像形成装置の一例の構成模式図である。この画像形成装置は、転写式電子写真プロセスを用いた、縦型タンデム構成（インライン構成）のカラーＬＰＢ（カラーレーザープリンタ）である。
【００１６】
Ｙ・Ｍ・Ｃ・Ｂは画像形成装置本体内に下から上に順に並列配置（縦型タンデム構成）した、それぞれ、カラー画像のイエロー・マゼンタ・シアン・ブラックの各色成分トナー像（現像剤像）を分担して形成するの第１〜第４の４つの画像形成機構部である。
【００１７】
上記の各画像形成機構部は互いに形成するトナー像の色が上記のように異なる以外はそれぞれ同一の電子写真プロセス機構である。すなわち、それぞれ、像担持体としてのドラム型の電子写真感光体（以下、感光ドラムと記す）１を有する。感光ドラム１は矢印の反時計方向に所定のプロセススピードで回転駆動される。そして、その感光ドラム１の表面を一様に帯電する一次帯電手段２、その帯電面に画像情報に応じた光を照射して静電潜像を形成するレーザービーム露光手段３を有する。また、その静電潜像を現像剤でトナー像として現像する現像手段４、そのトナー像を被記録材（以下、シ−トと記す）に転写する転写手段３０、シートに対するトナー像転写後の感光ドラム面上の転写残トナーを除去するクリーニング手段６等を有する。
【００１８】
９ａは静電吸着搬送ベルト（以下、搬送ベルトと記す）であり、駆動ローラ９ｂと従動ローラ９ｃに張架されている。この搬送ベルト９ａは上記の各画像形成機構部Ｙ・Ｍ・Ｃ・Ｂの感光ドラム１側において各画像形成機構部の全体に亘らせて配設してある。そして各画像形成機構部において転写手段３０はそれぞれこの搬送ベルト９ａを介して感光ドラム１に圧接させている。各感光ドラム１と搬送ベルト９ａの当接部が転写部である。
【００１９】
１０は画像形成装置本体の下部に配設した給紙カセット（給紙部）であり、シートＳを積載収納してある。プリント要求信号に基づいて給紙ローラ１０ａが駆動されて給紙カセット１０からシートＳが一枚分離給送される。そのシートＳは、レジストローラ１０ｂで一旦停止される。各画像形成機構部Ｙ・Ｍ・Ｃ・Ｂにおけるレーザースキャナ３の立ち上り、帯電手段２による感光ドラム１の電位安定化を待つ。そして、シートＳの記録位置と、各画像形成機構部Ｙ・Ｍ・Ｃ・Ｂにおけるトナー像の画像形成タイミングを同期させ、レジストローラ１０ｂの駆動が再開される。シートＳはレジストローラ１０ｂで挟持搬送され、搬送ベルト９ａに静電吸着保持されて、下から上に搬送される。そしてその搬送過程で、第１〜第４の各画像形成機構部Ｙ・Ｍ・Ｃ・Ｂの各転写部において、各感光ドラム１の面にそれぞれ形成されるシアン、イエロー、マゼンタ、ブラックの各トナー像の重畳転写を順次に受ける。各画像形成機構部においてシートＳへのトナー像転写後の感光ドラム面はクリーニング手段６によって転写残トナーが除去されて繰り返して作像に供される。
【００２０】
４色のトナー像の重畳転写を受けたシートＳは搬送ベルト９ａの上端側において搬送ベルトから分離されて定着装置５に搬入される。定着装置５はシートＳ上のトナー像を加熱溶融して混色定着させる。定着装置１５を通過したシートＳはフルカラー画像形成物として画像形成装置本体上面の排出トレイ１３上に排出される。
【００２１】
第１〜第４の各画像形成機構部Ｙ・Ｍ・Ｃ・Ｂの感光ドラム１は、不図示のドラムモータ（直流サーボモータ）によって回転駆動される。各感光ドラム１にそれぞれ独立した駆動源を設けても良い。尚、ドラムモータの回転駆動は不図示のＤＳＰ（デジタルシグナルプロセッサ）によって制御され、その他の制御は制御手段部（ＣＰＵ）１００（図Ｂ）によって行われる。
【００２２】
（２）定着装置５
図１は定着装置部分の要部の拡大模式図である。この定着装置５は、フィルム加熱方式・加圧回転体駆動タイプの像加熱装置である。図２は制御系のブロック図である。
【００２３】
５Ａは加熱ユニット、５Ｂは加圧ユニットである。加熱ユニット５Ａは、加熱回転体としての、可撓性を有する円筒状の定着フィルム（以下、定着スリーブと記す）５ａ、これを内側からガイドするガイド部材５ｂ、定着スリーブ５ａを加熱する加熱手段としてのセラミックヒータ（以下、ヒータと記す）５ｃ、補強ステー５ｄ等の組み立て体である。
等の組み立て体である。
【００２４】
定着スリーブ５ａは、本実施例では、内面側から外面側に向かって、金属フィルム層あるいは耐熱樹脂フィルム層、弾性層、離型層から構成される可撓性を有するものである。
【００２５】
ガイド部材５ｂは、横断面略半円状樋型で、剛性・耐熱性・断熱性を有する横長部材である。液晶ポリマー、フェノール樹脂、ＰＰＳ、ＰＥＥＫ等により形成されている。このガイド部材５ｂはこれにルーズに外嵌した定着スリーブ５ａの回転ガイドの役目をする。また、ヒータ５ｃを断熱保持するホルダの役目もする。さらに加圧部材の役目等もしている。
【００２６】
ヒータ５ｃは、たとえば、アルミナ、ＡｌＮ（チッ化アルミ）等の高絶縁性・良熱伝導性のセララミックス基板や、ポリイミド、ＰＰＳ、液晶ポリマー等の高耐熱性樹脂基板をヒータ基板として有する。そして、ヒータ基板の表面に長手に沿って、例えばＡｇ／Ｐｄ（銀パラジウム）、ＲｕＯ２、Ｔａ２Ｎ等の通電発熱抵抗体層をスクリーン印刷等により、厚み１０μｍ、幅１〜５ｍｍ程度の線状もしくは細帯状に形成具備させたものである。このヒータ５ｃはガイド部材５ｂに部材長手に沿って配設されている。ヒータ５ｃは給電回路部１０１から通電発熱抵抗体層に電力が供給されることにより迅速に昇温する。そしてヒータ温度がヒータ５ｃに設けた温度センサＴＨにより検知され、制御手段部１００により所定の温度に温調維持されるように給電回路部１０１にからヒータ５ｃの通電発熱抵抗体層への電力供給が制御される。
【００２７】
補強ステー５ｄは横断面Ｕ字型の断面をもつ、横長の剛性部材であり、ガイド部材５ｂの内側に挿入して配設されている。
【００２８】
加圧ユニット５Ｂは加圧回転体としての弾性加圧ローラ５ｅを有している。この加圧ローラは、芯金と、該芯金の周りに同心一体にローラ状に形成した、シリコンゴムやフッ素ゴム等の弾性層からなる。さらにその上に、ＰＦＡ、ＰＴＦＥ、ＦＥＰ等の離型性層を形成することもできる。
【００２９】
そして後述する加圧機構により、加圧ローラ５ｅに対して加熱ユニット５Ａが所定の押圧力で加圧される。この加圧により、ヒータ５ｃが定着スリーブ５ａの弾性と加圧ローラ５ｅの弾性に抗して定着スリーブ５ａを挟んで加圧ローラ５ｅに対して圧接して、被記録材搬送方向に関して所定幅の定着ニップ部（ニップ部）Ｎが形成される。定着ニップ部Ｎにおいては定着スリーブ５ａがヒータ５ｃと加圧ローラ５ｅとの間に挟まれてヒータ５ｃの扁平面に倣って撓み、定着スリーブ５ａの内面がヒータ５ｃの扁平面に密着した状態になる。
【００３０】
而して、加圧ローラ５ｅが駆動機構１０２により時計方向に所定の速度で回転駆動される。この加圧ローラ５ｅの回転駆動に伴って定着ニップ部Ｎにおける加圧ローラ５ｅと定着スリーブ５ａとの摩擦力で定着スリーブに回転力が作用する。これにより、定着スリーブ５ａがその内面がヒータ５ｃの下面に密着して摺動しながらガイド部材５ｂの外回りを反時計方向に加圧ローラ５ｅの回転に従動して回転状態になる（加圧ローラ駆動式）。
【００３１】
加圧ローラ５ｅの回転駆動による定着スリーブ５ａの回転がなされ、またヒータ５ｃに対する通電がなされてヒータ温度が所定の温度に立ち上がって温調された状態において、未定着トナー像を担持したシートＳが導入される。
【００３２】
すなわち、前記のように４つの感光ドラムからトナー像が転写されたシートＳは、搬送ベルト９ａの駆動ローラ９ｂ部においてベルト面から分離されて、定着装置５内に進入する。シートＳは入口ガイド１４の下方から入口センサ２７を押し上げて定着ニップ部Ｎに入る。シートＳはこの定着ニップ部Ｎにおいてトナー像担持側面が定着スリーブ５ａの外面に密着して挟持搬送されていく。この挟持搬送過程においてヒータ５ｃで加熱された定着スリーブ５ａの熱によりシートＳが加熱され、未定着トナー像がシートＳ上に加熱・加圧されて溶融定着される。定着ニップ部Ｎを通過したシートＳは定着スリーブ５ａの面から曲率分離し、定着排紙部側において、排紙上ガイド１５に沿って排紙センサ２６を押し上げ、駆動排出ローラ７と従動排出ローラ８のニップ部に挟持搬送されて排出トレー１３に排出される。駆動排出ローラ７は加圧ローラ５ｅの駆動に連動して回転駆動される。従動排出ローラ８は排紙下ガイド１１に保持されていて、駆動排出ローラ７に対向してニップを形成している。
【００３３】
排紙下ガイド１１には、定着スリーブ５ａの外周に対して離接可能に揺動するフラッパ（分離爪）１２が回動支点１２ａを中心に回動可能に配設されている。フラッパ１２には切り欠き部１２ｃを具備させている。このフラッパ１２は定常状態（自由状態）では自重による回動モーメントで定着スリーブ５ａの外周から所定に離間した図１の第１姿勢（位置）に安定している。
【００３４】
１６は上記フラッパ１２に対する掛止部材（フラッパ回転防止爪）である。この掛止部材１６は、回動支点１６ａを持ち、自重により常にフラッパ１２に当接する方向に回転モーメント（回転力）を持たせている。なお、この掛止部材１６の自重による回転モーメントは第１姿勢にあるフラッパ１２をフラッパの自重に抗して揺動させる程の力はない。
【００３５】
本実施例の画像形成装置においては、定着装置の上記入口センサ２７と、排紙センサ２６と、図Ａにおいて、レジストローラ１０ｂのシート出口側に配設したレジセンサ２５により、シートＳのジャム発生を検知する。
【００３６】
すなわち、制御手段部１００は、レジセンサ２５が画像形成装置内を搬送されるシートＳの先端を検知したのち、シート先端が入口センサ２７、さらには排紙センサ２６に到達する時間と、シートＳの設定サイズからシート後端が入口センサ２７、さらには排紙センサ２６を抜けるまでの時間をファームウエアで管理する。制御手段部１００は、レジセンサ２５がシートＳの先端を検知したのち、後端が入口センサ２７、さらには排紙センサ２６を抜けるまでの時間が所定時間内であれば、シートの搬送は正常と判断する。レジセンサ２５がシートＳの先端を検知したのち、後端が所定時間を超えても入口センサ２７で検知されないときは、レジセンサ２５から入口センサ２７までのシート搬送路中でシートがジャムしていると判断する。レジセンサ２５がシートＳの先端を検知したのち、後端が所定時間内で入口センサ２７で検知されたが、所定時間を超えても排紙センサ２６で検知されないときは、定着ニップ部Ｎの上流側でシートがジャムしていると判断する。レジセンサ２５がシートＳの先端を検知したのち、先端が所定時間内で排紙センサ２６で検知されたが、排紙センサ２６−オンのまま所定の時間を過ぎても後端検知（排紙センサ２６−オフ）がなされないときは、定着ニップ部Ｎの下流側、すなわち、定着排紙部側でシートがジャムしていると判断する。
【００３７】
制御手段部１００は上記のジャム発生を検知したときは、定着装置５も含めて画像形成装置の装置動作を緊急停止する。そして、表示部１０３にジャム発生であること、およびジャム発生個所を表示して、操作者にジャム処理を促す。操作者は表示された装置ドア部を開いてジャムしているシートを取り除き処置して、装置ドア部を閉じ込む。装置ドアの閉じ込みによりドアスイッチ１０４がオンになり、制御手段部１００はそのオン信号により装置のリカバリー動作を実行する。
【００３８】
なお、上記のジャム検知において、センサの種類、定着排紙部での滞留ジャムを検知する手段は上記の構成に限定するものではない。
【００３９】
図３は定着排紙部付近で何ならかの原因によりシートＳがジャム（滞留）した状態を示している。このときシートＳは、制御手段部１００のジャム検知により、定着装置５も含めて画像形成装置の装置動作が緊急停止されるまでの間において、排紙上ガイド１５と排紙下ガイド１１の間の空間に滞留することでループを作っていく。ループＳ１により上面を押されたフラッパ１２は、図１の第１姿勢から、自重による回動モーメントに抗して回動支点１２ａを支点に先端部１２ｂが定着スリーブ５ａの外周表面に当接もしくは近接した、図２の第２姿勢に変移する。
【００４０】
このとき掛止部材１６は、フラッパ１２の第２姿勢への変移に連動して、回動支点１６ａを中心に自重でフラッパ１２の方向に回転していく。そして、フラッパ１２が第２姿勢に変移したとき、掛止部材１６の先端爪部１６ｂがフラッパ１２の切り欠き部１２ｃに入り込む。つまり、掛止部材１６の先端爪部１６ｂとフラッパ１２の切り欠き部１２ｃはラチェット部を構成している。これにより、フラッパ１２は掛止部材１６で係止されて戻り止めされる。すなわち、フラッパ１２は、一旦、定着スリーブ５ａの外周表面との当接もしくは接近した第２姿勢に変移した後は、掛止部材１６によりその第２姿勢に固定される。
【００４１】
シートＳの滞留が続くとループＳ２、Ｓ３、Ｓ４・・・が次々と形成されシートＳが前記空間でアコーディオン状にジャムしていく。しかし、フラッパ１２は掛止部材１６によりその第２姿勢に固定されているので、アコーディオン状に後から発生する滞留したシートがフラッパ１２を再度離間させる事態は発生しない。
【００４２】
したがって、定着装置５が制御手段部１００で緊急停止されるまでの間において、定着スリーブ５ａに対するフラッパ１２の再離間でシートＳが定着スリーブ５ａに巻き付くことを厳に防ぐことができる。
【００４３】
ジャム処理は、前記したように、装置ドア部を開いてなされる。本実施例において、制御手段部１００は、装置ドア部が開かれたことをドアスイッチ１０４のオフ信号で検知する。そうして、そのドアスイッチ−オフ信号に基づいて、加熱ユニット５Ａと加圧ユニット５Ｂの加圧力を解除する圧解除手段を動作させる。
【００４４】
図４と図５により、本実施例における、加熱ユニット５Ａと加圧ユニット５Ｂの加圧機構と、圧解除手段を説明する。
【００４５】
図４は加熱ユニット５Ａ（定着スリーブ）と加圧ユニット５Ｂ（加圧ローラ）の加圧状態時を示している。加熱ユニット５Ａはその長手両端部をそれぞれフランジ２２で保持されている。そして、加圧軸２４を軸として回動する加圧板２１と、加圧バネ２０と、その一方を保持する固定のバネ掛け部２３により、加熱ユニット５Ａを加圧ユニット５Ｂの加圧ローラ５ｅに対して両端フランジ２２を介して加圧バネ２０の引張力で加圧している。
【００４６】
１９は圧解除軸、１７は圧解除軸１９に固着した圧解除カムである。圧解除軸１９は軸駆動機構１０５により１８０°間欠回転駆動される。軸駆動機構１０５は制御手段部１００で制御される。加熱ユニット５Ａと加圧ユニット５Ｂの加圧状態時においては、圧解除軸１９、すなわち圧解除カム１７は図４のようにその小径部が加圧板２１の底面に対向して離間している回転角状態に保持されている。この回転角状態においては、圧解除カム１７は加圧板２１とは縁が切れていて、加熱ユニット５Ａと加圧ユニット５Ｂは加圧バネ２０により加圧状態が維持されている。
【００４７】
図４の加圧状態から圧解除軸１９、すなわち圧解除カム１７が反時計方向に１８０°回転駆動されると、圧解除カム１７は図５のようにその大径部が加圧板２１の底面に対向して、加圧板２１を加圧軸２４を中心に加圧バネ２０の引張力に抗して押し下げる。これにより、加熱ユニット５Ａは加圧ユニット５Ｂへの加圧力を解除する方向へ変移して定着ニップ部Ｎが開き状態になる。すなわち、加熱ユニット５Ａと加圧ユニット５Ｂとが圧解除状態に保持される。
【００４８】
したがって、ジャムしているシートＳは定着ニップ部Ｎによる挟み込みが解除されるもで、その取り除き操作が容易である。
【００４９】
図１・図３において、１８は上記の圧解除軸１９に固着した固定解除カムである。この固定解除カム１８は圧解除軸１９が図４の加圧状態の回転角状態から図５の圧解除の回転角状態に１８０°回転駆動される途中において、図６の（ａ）→（ｂ）→（ｃ）のようにフラッパ１２を第２姿勢に固定している掛止部材１６の下部面１６ｃを蹴る。
【００５０】
すなわち、掛止部材１６の下部面１６ｃを固定解除カム１８が押し上げることで、掛止部材１６は回動支点１６ａを軸に反時方向に回転して、先端爪部１６ｂがフラッパ１２の切り欠き部１２ｃから外される。これにより、フラッパ１２の第２姿勢への固定が解除される。固定解除カム１８は引き続く圧解除軸１９の回転で掛止部材１６の下部面１６ｃを通過していく。
【００５１】
加熱ユニット５Ａと加圧ユニット５Ｂとが圧解除された状態において、ジャムしたシートＳ（図３）が取り除かれると、フラッパ１２は自由となって自重により最初の第１姿勢に復帰する。また掛止部材１６は第１姿勢に復帰したフラッパ１２に対して自重による回転モーメントにより始めのようにフラッパ１２に当接した状態となる。また、排紙センサ２６は初期位置に戻る。
【００５２】
上記のジャム処置後、装置ドアが閉じられると、制御手段部１００はドアスイッチ１０４のオン信号に基づいて圧解除軸１９の軸駆動機構１０５を再び１８０°回転駆動させる。これにより、加熱ユニット５Ａと加圧ユニット５Ｂとが加圧状態にもどされる。
【００５３】
加圧状態への戻し動作は、ジャムシートが取り出されてし排紙センサ２６が初期位置に戻り、ジャムシート検知が解除された信号に基づいて実行させることもできる。
【００５４】
加熱ユニット５Ａと加圧ユニット５Ｂと加圧状態と圧解除状態の転換は手動で行なう構成にすることもできる。
【００５５】
上記のように、定着ニップ部Ｎの下流側において、ジャムしたシートＳがフラッパ１２を定着スリーブ５ａの外周表面に近接、または押し当てたときに、その位置でフラッパ１２を固定する。これにより、アコーディオン状に後から発生するジャムシートが、一度定着スリーブ表面に近接または当接したフラッパ１２を再度離間させて、定着スリーブ外周との隙間にシートが定着スリーブ５ａに巻き付いて入っていくことを防ぐことができる。
【００５６】
また、シートのジャム検知で定着スリーブ５ａと加圧ローラ５ｅ間の圧解除に合わせてフラッパ１２を固定している掛止部材１６を解除することで、ジャムしたシートの排除処理と同時に固定されたフラッパ１２を定着スリーブ５ａから離間した初期位置に復帰することが可能である。
【００５７】
また、フラッパ１２と掛止部材１６の姿勢を自重により初期位置を保持させ、フラッパ１２はシートＳからの外圧により変化させるような位置にそれぞれ回動支点を設けることで、巻付き防止機構の小型化とローコスト化が図れる。
【００５８】
上述のように本実施例の定着装置は、加圧ユニット５Ｂ（加圧ローラ）に対して加熱ユニット５Ａは加圧板２１と引張りコイルバネ２０を用いて加圧ローラの両端部で加圧されている。この構成において両端部のコイルバネ２０を広げて加熱ユニット５Ａの加圧ユニット５Ｂに対する加圧力を解除するよう加圧板２１を移動させるために、加熱板２１に当接する一対の圧解除カム１７と、それを連動するための圧解除軸１９がある。また圧解除軸１９には掛止部材１６を圧解除動作に連動してフラッパ１２の切り欠き部１２ｃから離間するための固定解除カム１８がある。固定解除カム１８に当接した掛止部材１６は揺動軸１６ａを持ち、フラッパ１２の切り欠き部１２ｃに対して入り込む位置と離間する位置を往復する。このように、引張りコイルバネ２０と加圧板２１を用いて加圧する加熱定着部と圧解除軸１９と圧解除カム１７を用いて圧解除を行なう構成で、フラッパ先端が加熱ユニットに近接、もしくは当接した位置で掛止部材１６で固定されたフラッパ１２を、圧解除軸１９に設けた圧解除カム１７を用い圧解除動作に連動して掛止部材１６もフラッパ１２から離間させることで、簡単な構成で圧解除に連動した掛止部材１６のフラッパ１２からの離間動作が可能となる。
【実施例２】
【００５９】
前記実施例１では、掛止部材１６をフラッパ１２に当接させる力を掛止部材１６の自重による回動モーメントで得ている。本実施例は、掛止部材１６をフラッパ１２に当接させる力を付勢バネにより得るようにしたものである。その田の装置構成は実施例１と同じであるため再度の説明は省略する。
【００６０】
図７の（ａ）は、コイルバネ３０ａで掛止部材１６を押圧して回動支点１６ａを中心に時計方向への回動モーメントを与えることで、掛止部材１６をフラッパ１２に当接する付勢力を与えている。
【００６１】
図７の（ｂ）は、ねじりコイルバネ３０ｂを回動支点１６ａ回りに配して、このねじりコイルバネ３０ｂにより掛止部材１６に回動支点１６ａを中心に時計方向への回動モーメントを与えることで、掛止部材１６をフラッパ１２に当接する付勢力を与えている。
【００６２】
掛止部材１６の先端爪部１６ｂがフラッパ１２に当接する付勢力を与えるための手段は、これに限らず引張りコイルバネや板バネ等、回動支点１６ａを中心に掛止部材１６に付勢方向に回転力を与えるものであればよい。
【００６３】
上記のように、掛止部材１６が揺動軸を持ちバネ３０ａまたは３０ｂで常にフラッパ１２に当接する力が働いていることで、フラッパ１２がシートジャムに伴い動作したときにより確実にフラッパ１２を固定することが可能となる。
【００６４】
（３）その他
１）加熱ユニット５Ａは回転可能なヒートローラであってもよい。
【００６５】
２）実施形態の像加熱装置は定着装置であるが、本発明の像加熱装置には、定着装置だけでなく、仮定着処理、つや等の表面性改質処理などする像加熱装置も含まれる。
【００６６】
３）電磁誘導加熱方式など他の加熱方式の像加熱装置にも本発明は適用できることは勿論である。
【００６７】
４）シートＳに対する画像形成原理・プロセス・方式は転写式電子写真方式に限られないことは勿論である。感光紙や静電記録紙等を用いた直接方式での画像形成方式であってもよいし、静電記録方式・磁気記録方式等であってもよい。
【図面の簡単な説明】
【００６８】
【図１】定着装置部分の要部の拡大模式図である。
【図２】制御系のブロック図である。
【図３】定着ニップ部の下流側においてジャムが発生した状態時の模式図である。
【図４】加圧機構の加圧状態時の模式図である。
【図５】加圧機構の圧解除状態時の模式図である。
【図６】掛止部材解除過程の模式図である。
【図７】実施例２の要部図である。
【図８】本発明に従う像加熱装置を定着装置として搭載した画像形成装置の一例の構成模式図である。
【符号の説明】
【００６９】
１‥‥感光ドラム、２‥‥１次帯電手段、３‥‥レーザビーム露光手段（スキャナ）、４‥‥現像部、５‥‥定着装置（像加熱装置）、５Ａ‥‥加熱ユニット、５ａ‥‥定着スリーブ（加熱回転体）、５Ｂ‥‥加圧ユニット、５ｅ‥‥加圧ローラ（加圧回転体）、６‥‥クリーニング手段、７‥‥駆動排出ローラ、８‥‥従動排出ローラ、９ａ‥‥静電吸着搬送ベルト、９ｂ‥‥駆動ローラ、１０ａ‥‥給紙ローラ、１０ｂ‥‥レジストローラ、１１‥‥排紙ガイド、１２‥‥フラッパ、１２ａ‥‥回動支点、１２ｃ‥‥切り欠き部、１４‥‥入口ガイド、１５‥‥排紙上ガイド、１６‥‥掛止部材（回転防止爪）、１６ａ‥‥回動支点、１６ｂ‥‥先端爪部、１６ｃ‥‥固定解除カム１８の当接面、１７‥‥圧解除カム、１８‥‥固定解除カム、１９‥‥圧解除軸、２０‥‥加圧バネ、２１‥‥加圧板、２２‥‥フランジ、２３‥‥バネ掛け部、２４‥‥加圧軸、２５‥‥レジセンサ（レジストセンサ）、２６‥‥排紙センサ、３０ａ‥‥付勢バネ、３０ｂ‥‥付勢バネ、Ｓ‥‥シート（被記録材）、Ｓ１・Ｓ２・Ｓ３・Ｓ４‥‥シートのジャムループ
【図１】
2006308770.tif 000003
【図２】
2006308770.tif 000004
【図３】
2006308770.tif 000005
【図４】
2006308770.tif 000006
【図５】
2006308770.tif 000007
【図６】
2006308770.tif 000008
【図７】
2006308770.tif 000009
【図８】
2006308770.tif 000010